(57)【特許請求の範囲】
【請求項１】
空気流路を流れる空気中の塵埃を捕集する集塵フィルタと、前記集塵フィルタを移動させる駆動部と、前記集塵フィルタに接触し、静止または回転することにより前記集塵フィルタに付着している塵埃を払い落とすメインブラシと、前記集塵フィルタの前記メインブラシが当接する面の反対側に、この集塵フィルタに当接して前記メインブラシにより押し込まれた埃を掻き落す埃除去部材とを設け、前記メインブラシが当接する前記集塵フィルタの面の反対側に所定間隔に並んだ複数のフィルタ突起を設け、軸支された前記塵埃除去部材が前記フィルタ突起に当接して振り子のように振動することを特徴とする空気調和のフィルタ清掃装置。
【請求項２】
前記メインブラシが当接する前記集塵フィルタの裏側に、このフィルタを挟んで前記メインブラシと対面する柔軟性部材を設けたことを特徴とする請求項１記載の空気調和のフィルタ清掃装置。
【請求項３】
空気流路を流れる空気中の塵埃を捕集する集塵フィルタと、前記集塵フィルタを移動させる駆動部と、前記集塵フィルタに接触し、静止または回転することにより前記集塵フィルタに付着している塵埃を払い落とすメインブラシと、前記集塵フィルタの前記メインブラシが当接する面の反対側に、この集塵フィルタに当接して前記メインブラシにより押し込まれた埃を掻き落す埃除去部材と、前記集塵フィルタが前記駆動部のローラによりＵ字ターンして移動するガイド部とを備え、前記埃除去部材が前記集塵フィルタの前記メインブラシが当接する面とは反対側の端部に設置されて、前記ガイド部に沿って移動する前記集塵フィルタの裏面に前記埃除去部材が当接して埃を掻き落すことを特徴とする空気調和のフィルタ清掃装置。
【発明の詳細な説明】
【技術分野】
【０００１】
この発明は、空気調和機等に用いられる集塵フィルタに関するものであり、詳しくは集塵フィルタの自動清掃を行う清掃装置に関するものである。
【背景技術】
【０００２】
一般に、天井埋込型空気調和機は、ファンによって吸込口から室内空気を内部に吸込み、熱交換器において室内空気の温度調整を行い、吹出口から温度調整した空気を室内へ吹出している。
【０００３】
吸込口には、室内空気中に存在する埃等の浮遊物の天井埋込型空気調和機内部への侵入を防ぐためにフィルタが設置されている。この天井埋込型空気調和機の運転を続けると、次第に室内空気中の浮遊物がフィルタに蓄積される。それにより、フィルタの空気抵抗が増加し、運転効率の悪化や省エネルギー性の低下に至る課題があった。従って、フィルタに付着して蓄積された埃等の空気中の浮遊物を取り除く必要があった。
【０００４】
また、天井埋込型空気調和機は高所に取り付けられているものが多く、フィルタの清掃を行う場合は脚立等を用いた困難な作業となっていた。そのため、フィルタの清掃に関する技術提案が多々なされている。
【０００５】
例えば、フィルタが帯状の連続したエンドレス構造に形成され回転ドラムの回転によりフィルタが移動し、このフィルタの帯状の側部にブラシが当接してフィルタに付着した埃等を除去することでフィルタを清掃された状態に保つことができる（例えば、特許文献１参照。）。
また、従来技術として、連続させてエンドレス構造に形成し空調機主要部を取り囲むように配置してなるエアフィルタと、回転してエアフィルタを清掃する清掃ブラシと、エアフィルタから除去された埃を吸引し集塵する集塵装置を備え、空調機の所定時間運転する毎にエアフィルタを所定量循環移動させてフィルタを清掃された状態に保つことができる（例えば、特許文献２参照。）。
【先行技術文献】
【特許文献】
【０００６】
【特許文献１】特開平０７−２７５６２６号公報（第２―３頁、第１図）
【特許文献２】特開平１０−２６０４号公報（第２―３頁、第１図）
【発明の概要】
【発明が解決しようとする課題】
【０００７】
従来の空気調和機のフィルタ清掃装置は、塵埃除去のブラシが埃を掻き取る時に、フィルタの清掃面とは反対側に埃を押し込んでしまうという問題点があった。また、フィルタとブラシとの接触ムラが発生し、フィルタ上に清掃されない部分が生じることがあった。
【０００８】
この発明は、上記のよう課題を解決するためになされたもので、第１の目的はフィルタの表と裏の両面を清掃することができる空気調和機のフィルタ清掃装置を得るものである。
【０００９】
また、第２の目的はフィルタに付着した埃の清掃ムラを低減することができる空気調和機のフィルタ清掃装置を得るものである。
【課題を解決するための手段】
【００１０】
この発明に係る空気調和機のフィルタ清掃装置は、空気流路を流れる空気中の塵埃を捕集する集塵フィルタと、前記集塵フィルタを移動させる駆動部と、前記集塵フィルタに接触し、静止または回転することにより前記集塵フィルタに付着している塵埃を払い落とすメインブラシと、前記集塵フィルタの前記メインブラシが当接する面の反対側に、この集塵フィルタに当接して前記メインブラシにより押し込まれた埃を掻き落す埃除去部材とを設け、前記メインブラシが当接する前記集塵フィルタの面の反対側に所定間隔に並んだ複数のフィルタ突起を設け、軸支された前記塵埃除去部材が前記フィルタ突起に当接して振り子のように振動するものである。
【発明の効果】
【００１１】
この発明の空気調和機のフィルタ清掃装置は、空気流路を流れる空気中の塵埃を捕集する集塵フィルタと、前記集塵フィルタを移動させる駆動部と、前記集塵フィルタに接触し、静止または回転することにより前記集塵フィルタに付着している塵埃を払い落とすメインブラシと、前記集塵フィルタの前記メインブラシが当接する面の反対側に、この集塵フィルタに当接して前記メインブラシにより押し込まれた埃を掻き落す埃除去部材とを設け、前記メインブラシが当接する前記集塵フィルタの面の反対側に所定間隔に並んだ複数のフィルタ突起を設け、軸支された前記塵埃除去部材が前記フィルタ突起に当接して振り子のように振動するので、フィルタを通過する空気に対してフィルタの表面と裏面の両方に付着した埃を清掃除去するとともに、その反対側の裏面に押し込まれた埃も除去清掃することができるという効果を有する。
【図面の簡単な説明】
【００１２】
【図１】この発明の実施の形態１における空気調和機のフィルタ清掃装置の説明図である。
【図２】この発明の実施の形態１における空気調和機のフィルタ清掃装置の要部構成図である。
【図３】この発明の実施の形態１における他の空気調和機のフィルタ清掃装置の要部構成図である。
【図４】この発明の実施の形態１における空気調和機のフィルタ清掃装置の要部構成図である。
【図５】この発明の実施の形態２における空気調和機のフィルタ清掃装置の要部説明図である。
【発明を実施するための形態】
【００１３】
実施の形態１．
図１〜図４はこの発明の実施の形態１における空気調和機のフィルタ清掃装置の要部構成図を示すものである。
図に示すフィルタ清掃装置は、空気調和機本体の吸込口内部の近傍に設置され室内空気中に存在する埃等の浮遊物の内部への侵入を防ぐために設けられている。
【００１４】
空気調和機のなかで、天井埋込型空気調和機は、部屋の天井に本体の下部に設けられた略四角形状の化粧パネルが見える状態で埋設されている。図１に示すように、化粧パネル５の中央付近には天井埋込型空気調和機へ空気を機内へ連通する略四角形グリルの吸込口７と、化粧パネルの各辺に沿って形成された本体吹出口と連通する吹出口６を有し、さらに各吹出口には吹き出し空気の風向を制御するベーンを備える。
【００１５】
この空気調和機の本体ケーシング１には、その略中央側に天面側に固定されたモータ３と、該モータ３に取り付けられたターボファンの送風機２と、この送風機２を囲むように配設された熱交換器４を備えている。本体ケーシング１と化粧パネル５の間には、吸込口７の下流側であって送風機２の上流側に位置し、本体ケーシング１内に吸い込まれた空気に含まれている塵埃を捕集するためのフィルタ２１と、フィルタ２１に付着した塵埃を自動的に除去するフィルタ清掃装置２０と、を有している。
【００１６】
フィルタ２１はフィルタ清掃装置２０に着脱自在に取り付けられ、本体ケーシング１内に吸い込んだ空気に含まれている塵埃を捕集するようになっており、フィルタ２１で捕集されて付着した塵埃を除去することで、フィルタ２１を自動的に清掃されるものである。フィルタ清掃装置２０は、フィルタ２１に付着した塵埃を除去する、例えばメインブラシを用いた清掃機構７１と、フィルタ２１と清掃機構７１を相対移動させる移送機構３０とを少なくとも備えている。また、フィルタ清掃装置２０には、フィルタ２１の移動を案内するガイド部２２（下ガイド部２２ａ、上ガイド部２２ｂ）が設けられている。
【００１７】
次に、フィルタ清掃装置２０の動作について説明する。
空気調和機本体が通常空調運転を行っているとき、フィルタ清掃装置２０は、フィルタ２１を停止させた状態にしている。空気調和機が通常空調運転を終了し、停止しているとき、フィルタ清掃装置２０は、移送機構３０を駆動することによりフィルタ２１の清掃を実行する。フィルタ２１の清掃は、移送機構３０が駆動し、フィルタ２１がガイド部２２に沿って清掃機構７１上を相対移動する際に、清掃機構７１がフィルタ２１に付着した塵埃を除去することによって行う。つまり、移送機構３０によって巻き取られながら移動するフィルタ２１は、移送機構３０とその近傍に設けられた清掃機構７１との間を通過し、この間を通過する際に清掃機構７１によって塵埃が除去される。なお、清掃機構７１、例えばメインブラシによってフィルタ２１に付着した塵埃を掻き出して、塵埃を落としてフィルタを清掃する。
【００１８】
空気調和機本体と化粧パネルの吸込口であるグリルとの間にフィルタ清掃装置２０を設ける構成であるので、このフィルタ清掃装置は本体及び化粧パネルとは別体のケースメントに収納する形態にすれば、既存の天井埋込型空気調和機に、オプションとして後付で取り付けることが可能である。
【００１９】
図２に示すように、この空気調和機のフィルタ清掃装置２０は、フィルタ２１のフィルタ埃付着面２１ａを掃除するメインブラシ７１とフィルタを挟んで反対側に埃除去部材７２を設置する。これにより、メインブラシ７１が掃除する面の反対側に押し込まれた埃をこの埃除去部材７２で掻き落すことができ、フィルタ２１の表面（フィルタ埃付着面２１ａ）と裏面の両方をしっかりと清掃することができる。埃除去部材７２は、フィルタに付着した埃がメインブラシ７１により清掃された後方、または清掃時にフィルタ２１に直接当接することができる位置に設置する。また、埃除去部材７２は、静止または回転するブラシ等の毛材で構成されるが、ゴムや樹脂製の刷毛等でもよい。
【００２０】
図３はこの発明の実施の形態１における空気調和機のフィルタ清掃装置において、フィルタ２１のフィルタ埃付着面２１ａとは反対側、そしてメインブラシ７１の掃除面とは反対の面に、一定間隔で複数の突起７３を設置し、埃除去部材７２を振り子状に駆動させることで埃を除去し易くした清掃装置の説明図である。フィルタ２１が移送される際に埃除去部材７２がフィルタ突起７３によって傾けられる（図３の（２））。そして、フィルタ突起７３が通過し埃除去部材７２が元の位置に戻る際にフィルタ２１の移送方向とは逆向きにフィルタ２１に当接する（図３の（３））ため、フィルタ２１に付着した埃をより効率的に除去することが可能である。このフィルタ突起７３がフィルタ２１上に所定間隔をもって配設されているので、フィルタ突起７３の通過毎に埃除去部材７２が振り子状に動いて連続的に埃を除去するものである。フィルタ突起７３の突起高さや配置間隔は埃除去部材７２の、例えばそこに使用されているブラシの毛の硬さや厚さ（積層量）に応じて選択できる。
【００２１】
また、図４に示すように、フィルタ２１のフィルタ埃付着面２１ａを清掃するメインブラシ７１が設けられ、フィルタ２１を挟んでこのメインブラシ７１の対面に柔軟性のある柔軟性部材２５を設置する。フィルタ２１がメインブラシ７１に押されてメインブラシ７１とは反対側に変形することを防ぎ、フィルタ２１全体が満遍なくメインブラシ７１に接触するようになり、埃の掻き取りムラが無くなる。メインブラシ７１の対面に駆動ローラ３０がある場合は、駆動ローラの側面に柔軟性部材２５を設置すればよい。例えば、図３のように駆動ローラによりフィルタ２１を移送する場合は、前記柔軟性部材２５も円筒形状のローラ型として回転可能とすることでフィルタ２１の移送も滑らかに行いながらメインブラシ７１の反対側への変形や埃のフィルタ裏面への逃げを防止でき、効率よい埃除去作業を行うことができる。
【００２２】
実施の形態２．
図５はこの発明の実施の形態２における空気調和機のフィルタ清掃装置の要部を示す説明図である。なお、図１に示すように空気調和機本体１と化粧パネルとの間に設置されるフィルタ清掃装置である。
【００２３】
図５に示す集塵フィルタ２１は駆動ローラ３０によりＵ字ターンして移動するガイド部３１に沿って往復移動ができる。そして、この集塵フィルタ２１のメインブラシ７１が当接する面、つまりフィルタ埃付着面２１ａとは反対側の面の端部に埃除去部材７２が設けられている。この埃除去部材７２はガイド部３１に沿ってＵ字ターンするＵ字幅分の高さを有したブラシや刷毛等から構成されている。図５（１）から順に図５（４）まで移動の状態を示すように、駆動ローラ３０が回転し集塵フィルタ２１が折り返した際に、この先端につけた埃除去部材７２がメインブラシ７１によって裏側に押し込まれた埃を除去することができる。これにより、埃除去部材７２を集塵フィルタ２１の端部に設けることで、別の固定手段で埃除去部材を保持する必要がなく、簡単な構成で集塵フィルタ２１の表面と裏面の両方から付着した埃等を除去することができる。
【符号の説明】
【００２４】
１  空気調和機本体、  ２  送風機、  ３  送風機用モータ、  ４  熱交換器、  ５  化粧パネル、  ６  吹出口、  ７  吸込口、  ２０  フィルタ清掃装置、  ２１  フィルタ、  ２２ａ  フィルタ下移動溝、  ２２ｂ  フィルタ上移動溝  、２５  柔軟性部材、３０  駆動ローラ、３１  ガイド部、７１  メインブラシ、７２  埃除去部材、７３  フィルタ突起。
【図１】
0005402783.tif 000002
【図２】
0005402783.tif 000003
【図３】
0005402783.tif 000004
【図４】
0005402783.tif 000005
【図５】
0005402783.tif 000006